(57)【要約】  フレーム（１０１）、メンブレン（１０３）及び駆動ユニット（１０５）を備えたラウドスピーカ。前記メンブレンは、前記フレームから吊着された平坦な外周端（１０４ａ）と、平坦な内周端（１０４ｂ）とを持つ。前記駆動ユニットは、前記フレームに固定された固定部（１０６ａ）と、前記メンブレンの内周端に固定されたコイル支持部（１０８ｂ）を備えた平行移動部（１０６ｂ）とを持つ。前記メンブレンは、円周方向から見て、前記平坦な内周端と前記平坦な外周端との間に径方向に延在する襞のパターンを持つ、凹状のメンブレン主部（１０４）を含む。該襞のパターンは、前記メンブレンの硬さを改善する。
2007502040.tif 000002
【特許請求の範囲】
【請求項１】
フレーム、メンブレン及び駆動ユニットを備えたラウドスピーカであって、前記メンブレンは、前記フレームから吊着された略平坦な外周端と、略平坦な内周端とを持ち、前記駆動ユニットは、前記フレームに固定され磁石系を備えた固定部と、前記メンブレンの前記略平坦な内周端に固定されたコイル支持部を備え電気コイルを有する平行移動部とを持ち、前記メンブレンは、円周側から見て、前記メンブレンの前記略平坦な内周端と前記略平坦な外周端との間に径方向に延在する襞のパターンを持つメンブレン主部を持ち、前記襞は、前記メンブレンの前記略平坦な外周端に向かってなだらかに減少する、前記メンブレン主部から測定される深さを持つラウドスピーカ。
【請求項２】
前記メンブレン主部は凹状の主部であり、前記前記略平坦な内周端及び前記略平坦な外周端は平行な平面内にある、請求項１に記載のラウドスピーカ。
【請求項３】
前記メンブレン主部は、原則的に平坦な主部であり、前記略平坦な内周端と前記略平坦な外周端とが、略同一の平面内にある、請求項１に記載のラウドスピーカ。
【請求項４】
前記メンブレンの前記略平坦な内周端は、前記駆動ユニットの前記平行移動部の前記コイル支持部に接着される、請求項１に記載のラウドスピーカ。
【請求項５】
前記襞の深さは、前記メンブレンの前記略平坦な内周端に向かってなだらかに減少する、請求項１に記載のラウドスピーカ。
【請求項６】
前記メンブレンの端は、前記メンブレンの前記略平坦な内周端と接合する内側部分を持ち、該部分は、前記磁石系から見て凹状である、請求項１に記載のラウドスピーカ。
【請求項７】
前記襞のパターンは、円周方向及び／又は径方向に不均一なパターンである、請求項１に記載のラウドスピーカ。
【請求項８】
ラウドスピーカにおける使用のためのメンブレンであって、円周方向から見て、平坦な内周端と平坦な外周端との間に径方向に延在する襞のパターンを持つメンブレン主部を含み、前記襞が、前記平坦な外周端に向かってなだらかに減少する、前記メンブレン主部から測定される深さを持つメンブレン。
【請求項９】
前記襞の深さが、前記平坦な内周端に向かってなだらかに減少する、請求項８に記載のメンブレン。
【請求項１０】
ラウドスピーカにおける請求項８又は９に記載のメンブレンの使用。
【発明の詳細な説明】
【技術分野】
【０００１】
本発明は、フレーム、メンブレン及び駆動ユニットを備えたラウドスピーカに関する。
【背景技術】
【０００２】
かようなスピーカは、一般に知られている。添付する図の図１２は、既知のスピーカを示す。該スピーカは、フレーム（１）、メンブレン（membrane、膜）（２）及び電磁駆動ユニット（４）を持つ。前記メンブレンは、円錐形の主部（２ａ）により形成され、平坦な外周端（２ｂ）及び平坦な内周端（２ｃ）を持つ。前記駆動ユニットは、固定部（４ａ）と可動部（４ｂ）とを備える。前記固定部は、永久磁石及び磁気ヨークを含み、前記フレームに固定される。前記可動部は、ボイスコイル及び円筒形のコイル支持部（４ｂ１）を含む。前記メンブレンは、外周端において、柔軟な懸架装置（６）によって前記フレームに接続され、内周端において、前記コイル支持部に接着される。前記コイル支持部は、スパイダ（８）によって前記フレームに接続される。
【０００３】
図示された既知のラウドスピーカのメンブレンの、従来の円錐形の主部は、十分な硬さを得るために一定の高さを持つ。メンブレンは、低周波再生のためにピストンのように動くことが可能であるように、及び中高周波再生のために該メンブレンの第１のブレークアップ（break-up）以上において制御された振舞を示すように、一定の最小の硬さを持つべきである。この理由のため、浅型スピーカ、即ち小さな高さを持つスピーカが特定の用途において必要とされる場合、スピーカの性能に関する問題が生じる。
【０００４】
特開昭５４−６５２３は、ダイアフラムの振舞を改善するため、波型構造を持つ僅かに円錐形のダイアフラムを備えた浅型スピーカを開示している。前記ダイアフラムは、弾性のサスペンションリングに接着された外周部と、ボイスコイルボビンに接着された内周部とを持つ。前記波型構造は、外周部に向かって減少し、内周部に向かって増大する、径方向の波形によって形成される。該構造により、前記外周部は、前記サスペンションリングに接着された平坦なリング型の外端を含み、前記内周部は、前記ボビンに接着された波状の内端を含む。
【発明の開示】
【発明が解決しようとする課題】
【０００５】
特開昭５４−６５２３より知られるスピーカは、性能に関する上述の問題を解決する手段を有するが、特にボイスコイルボビンへの波型ダイアフラムの固定に関しての製造の問題をもたらす。
【０００６】
本発明の目的は、音声性能を劣化させることなく、及び製造を阻害することなく、小さな高さを備えられ得るラウドスピーカを提供することにある。
【課題を解決するための手段】
【０００７】
本目的は、フレーム、メンブレン及び駆動ユニットを備えたラウドスピーカであって、前記メンブレンは、前記フレームから吊着された略平坦な外周端と、略平坦な内周端とを持ち、前記駆動ユニットは、前記フレームに固定され磁石系を備えた固定部と、前記メンブレンの前記略平坦な内周端に固定されたコイル支持部を備え電気コイルを有する平行移動部とを持ち、前記メンブレンは、円周側から見て、前記メンブレンの前記略平坦な内周端と前記略平坦な外周端との間に径方向に延在する襞（fold）のパターンを持つ凹状のメンブレン主部を持つ、本発明によるラウドスピーカにより達成される。ここで「略平坦な」なる表現は、本明細書においては、平坦又は実質的に平坦であるという意味を持つことに留意されたい。前記端の平坦さのずれは、もしある場合には、襞の最大の高さ及び／又は深さと比べて小さい。
【０００８】
本発明によるラウドスピーカは、略平坦な周端間に延在するエリアにおいてのみ波状であるメンブレンを備える。これにより、本発明によるラウドスピーカは製造が容易である。なぜなら、前記周端は平坦又は少なくとも実質的に平坦であり、これにより前記メンブレンのフレームとの接続、及びコイル支持部への前記メンブレンの固定が、平坦な周端を持つメンブレンの装着のために一般に知られた従来の方法で実行されることができるからである。例えばメンブレンの平坦な内周端をコイル支持部に接着させることは一般的である。本状況において、特開昭５４−６５２３に開示されたスピーカにおいて適用されるダイアフラムの径方向の襞は、言わば該ダイアフラムの内周端において中断され、これにより該端自体が波状となることに留意されたい。かような波状の端をボイスコイルボビンに接着することは困難であると思われてきた。このことが為されるべき方法は、現在の自動化されたスピーカラインが処理するものと、全く異なる。このことは、知られた波状のダイアフラムの装着は、新たな接着ロボットへの更なる投資を必要とすることを意味する。ボイスコイルボビンに対するダイアフラムの配置の間に生じる問題は例えば、メンブレンの小さな傾きでさえ、ボビン上のダイアフラムの滑動が妨げられる程の、ダイアフラムの波状の内端の山（top）と谷（trough）との間のオフセットを引き起こすという点である。
【０００９】
本発明によるラウドスピーカのメンブレン主部に適用される特殊な波型構造のため、メンブレンが表面を補強され、浅型又は平型メンブレンとして適切なものとなるために十分な硬さを持つ。波状の度合いは、襞の形状に依存する。原則として襞は、パターンが山と谷とを持つ、丸型又は尖った形のようないずれの形状を持っても良い。襞のパターンは、円周方向から見て均一であっても良いし又は不均一であっても良い。
【００１０】
上述のようなメンブレンを備えた浅型ラウドスピーカは、第１のブレークアップ以上における優れた振舞のため、優れた音声性能を持つ。換言すれば、前記ブレークアップ以上においても、再生される音声に殆ど歪がない。
【００１１】
前記襞は好ましくは、前記メンブレンの略平坦な外周端及び／又は略平坦な内周端に向かってなだらかに減少する、メンブレン主部から測定される深さ及び／又は高さを持つ。
【００１２】
実用的な実施例においては、メンブレン主部は凹型の主部、とりわけわずかに凹型の主部であり、前記略平坦な内周端及び前記略平坦な外周端は、平行な平面内にある。メンブレン主部は、好ましくは円錐型である。一般に、前記内周端は円形であり、前記外周端は多少楕円形のような異なる形状を持っても良い。
【００１３】
他の実用的な実施例は、前記メンブレン主部が原則として平坦な主部であり、前記略平坦な内周端及び前記略平坦な外周端は、略同一の平面内にあるという特徴を持つ。
【００１４】
前記メンブレンを、駆動ユニットの可動部分、とりわけ駆動ユニットのコイル支持部に接着することが実用的である。既存の接着剤がこの目的のために利用されても良い。
【００１５】
特定の用途においては、不均一なパターンの襞を適用することが好ましくなり得る。ラウドスピーカの音響特性及び／又はメンブレンの力学的特性は、不均一さの度合いを変化させることにより調節されることができる。更に、幾つかの襞の形状が利用可能である。
【００１６】
本発明によるラウドスピーカは、ハイファイ、家庭、自動車、ＴＶ及びマルチメディアシステムにおける音声再生のために適切であり、既に述べたように、非常に小さな組み込み深度を持つ用途に特に適切である。
【００１７】
本発明はまた、請求項９に記載のメンブレンに関する。
【００１８】
請求項に関しては、請求項に記載された実施例及び特徴の種々の組み合わせが、本発明の範囲内で可能であることに留意されたい。
【発明を実施するための最良の形態】
【００１９】
本発明は、図を参照しながら、例として以下により詳細に説明される。
【００２０】
図１乃至３に示されたラウドスピーカは、フレーム１０１、メンブレン１０３及び電磁駆動ユニット１０５を備える。メンブレン１０３は、平坦な外周端１０４ａ及び平坦な内周端１０４ｂを備えた浅型の凹状のメンブレン主部１０４を持ち、円周方向から見て、メンブレン１０４の表面に延在する径方向の襞１０４ｃのパターンを備える。襞１０４ｃは、山によって形成され、外端１０４ａから内端１０４ｂに向かって増大する高さ（ｈ）を持つ。最大の高さは、前記内端から幾分かの距離の位置にある。メンブレン主部１０４は、例えば紙、特に補強された紙によって作られたものであっても良い。駆動ユニット１０５は、固定部１０６ａ及び可動部即ち平行移動部１０６ｂを有する。固定部１０６ａはフレーム１０１に固定され、永久磁石１０７及び磁気ヨーク１０７ｂを含む磁石系を持つ。平行移動部１０６ｂは、ボイスコイル１０８ａと、該コイル１０８ａが取り付けられるコイル形成部又は支持部１０８ｂとを含む、コイル系を持つ。前記磁石系及びコイル系は、エアギャップ１０９を介して互いと磁気的に協働することができる。コイル支持部１０８ｂは、既知の接着剤であっても良い適切な接着剤によって、平坦な内周端１０４ｂに接着される。
【００２１】
コイル支持部１０８ｂは、それ自体知られた方法で、スパイダ１２２によってフレーム１０１に接続される。
【００２２】
外周端１０４ａは、それ自体知られた例えばゴム又は発泡樹脂からできたロールカラー（roll-collar）のような弾性手段１１３によって、フレーム１０１に接続される。
【００２３】
本実施例においては、径方向の軸１０５を持つ襞１０４ｃが、外周端１０４ａに近づくにつれてなだらかに細くなる。襞１０４ｃは、メンブレン主部１０４が所望の平坦な内端を提供するように、内端１０４ｂの近くで末端をなす。
【００２４】
図４乃至１０は、幾つかの更なる実施例を示す。可能な限り、同一の参照記号は対応する部分のために利用される。
【００２５】
図４に示されたラウドスピーカにおいては、メンブレン主部１０４が、駆動ユニット１０５から見てリング型の凹部３００を備え、これにより駆動ユニット１０５の平行移動部１０６ｂの可動距離を拡大する。凹部３００は、平坦な内周端１０４ｂから幾分かの距離にある。凹部３００の変形例は、図５に示されたラウドスピーカのメンブレン主部１０４に適用されている。４００で示された本凹部は、内端１０４ｂに隣接する。本例においては、襞１０４ｃは内端１０４ｂに向かってなだらかに細くなる。図６に示されたラウドスピーカのメンブレン主部１０４は、谷によって形づくられる襞１０４ｃを備える。本メンブレン主部１０４の変形例は、図７に示されたラウドスピーカにおいて適用されている。本変形例において、襞１０４ｃの構造は、端１０４ａと１０４ｂとの間の限られたエリアにおいてのみ備えられる。
【００２６】
端１０４ａ及び１０４ｂが、互いから小さな距離に延在する平行な平面内に位置する図１乃至７に開示された実施例とは異なり、図８に示された実施例は、同一の平面内に位置する平坦な外端１０４ａと平坦な内端１０４ｂとを持つ。メンブレン主部１０４は、円周方向から見て、襞１０４ｃの屈曲したパターンを持つ。
【００２７】
図９及び図１０に示された変形例においては、襞の構造の襞が、径方向に波状のパターンを持つ。
【００２８】
図１１に図示された表現は、幾つかのとり得る襞の形状及びメンブレンの形状を示す。１０３によって示されるメンブレンは、略平坦な外端１０４ａと略平坦な内端１０４ｂとを持つ。参照番号１０４ｃによって示される襞は、メンブレンの必要とされる特性に依存して、メンブレン面に亘って規則的又は不規則的に分布しても良い。前記襞は山及び／又は谷を持ち、従ってメンブレン面に対して高さ（ｈ）及び／又は深さ（ｄ）を持っても良い。望ましい場合には、幾つかの種類の襞が組み合わされて適用されても良い。
【００２９】
開示された実施例は、例としてのみ示されたものであることに留意されたい。本発明の範囲内で、本発明によるラウドスピーカを構築するために幾つかの実施例の種々の特徴を組み合わせることが可能である。
【図面の簡単な説明】
【００３０】
【図１】本発明によるラウドスピーカの実施例を断面図で図示する。
【図２】図１に示された実施例のメンブレンの斜視図を図示する。
【図３】図１に示された実施例のメンブレンの形状−襞の分布図である。
【図４】図１に示された実施例の変形例を断面図で図示する。
【図５】図１に示された実施例の変形例を断面図で図示する。
【図６】図１に示された実施例の変形例を断面図で図示する。
【図７】図１に示された実施例の変形例を断面図で図示する。
【図８】図１に示された実施例の変形例を断面図で図示する。
【図９】図１に示された実施例の変形例を断面図で図示する。
【図１０】図１に示された実施例の変形例を断面図で図示する。
【図１１】幾つかの適切な襞の形状を示す図である。
【図１２】従来のラウドスピーカを図示する。
【図１】
2007502040.tif 000003
【図２】
2007502040.tif 000004
【図３】
2007502040.tif 000005
【図４】
2007502040.tif 000006
【図５】
2007502040.tif 000007
【図６】
2007502040.tif 000008
【図７】
2007502040.tif 000009
【図８】
2007502040.tif 000010
【図９】
2007502040.tif 000011
【図１０】
2007502040.tif 000012
【図１１】
2007502040.tif 000013
【図１２】
2007502040.tif 000014
【国際調査報告】
2007502040.tif 000015
2007502040.tif 000016
2007502040.tif 000017